【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
アウターコラムの一端部内周面に設けた円筒面部又は部分円筒面部にインナーコラムの一端部外周面に設けた円筒面部又は部分円筒面部を、直接又は他の部材を介して摺動自在に内嵌すると共に、前方に向いた所定値以上の荷重が加わった場合にその全長が収縮するステアリングコラムと、上記アウターコラムに設けた円筒面部又は部分円筒面部と上記インナーコラムの外周面に設けた円筒面部又は部分円筒面部との間に設けられて、これらインナー、アウター両コラム同士の軸方向の相対変位を円滑にする滑り部と、このアウターコラムの一部に設けられて、このインナーコラムの一部を締め付けるクランプ部とを備えたテレスコピック機構付衝撃吸収式ステアリングコラム装置に於いて、上記インナーコラムに固定したストッパ部材と、上記アウターコラム又はこのアウターコラムに固定された部材の一部に設けられた、上記ステアリングコラムの収縮時にこのストッパ部材と衝合可能な変位阻止部とを備えたストッパ機構を設けており、上記アウターコラムの一部にこのストッパ部材を、このアウターコラムの円周方向に対向させると共に、このアウターコラム又はこのアウターコラムに導通した部材に接触させた、導電性を有する材料から成る弾性体を、上記ストッパ部材にこのアウターコラムの円周方向に弾性的に押し付けており、且つ、上記変位阻止部から上記ストッパ部材に所定値以上の荷重が加わる場合に、このストッパ部材を変形させると共に、この変形したストッパ部材を上記変位阻止部から退避させる事により、これらストッパ部材と変位阻止部とが衝合した後での上記ステアリングコラムの収縮を許容する事を特徴とするテレスコピック機構付衝撃吸収式ステアリングコラム装置。
【請求項２】
滑り部が、アウターコラムに設けた円筒面部又は部分円筒面部の内周面若しくはインナーコラムに設けた円筒面部又は部分円筒面部の外周面に設けたコーティング層、又はこのアウターコラムに設けた円筒面部又は部分円筒面部とこのインナーコラムに設けた円筒面部又は部分円筒面部との間に設けた合成樹脂製のスペーサ、又はこの間に設けた金属製のスペーサの表面に設けたコーティング層である、請求項１に記載したテレスコピック機構付衝撃吸収式ステアリングコラム装置。
【請求項３】
アウターコラムに導通した部材であるボルトの中間部に設けた円柱部に、弾性体であるばね部材を外嵌しており、このばね部材は、１対の側壁部を有する断面略コ字形に造られ、これら各側壁部の先端縁同士を近づける方向の弾力を有するものであり、これら各側壁部の中間部で互いに整合する位置に通孔を形成すると共に、これら各通孔の外端側開口周縁部に複数の突片をそれぞれ形成しており、これら各通孔に上記円柱部を挿通した状態で、上記各突片の先端縁をこの円柱部の外周面に弾性的に押し付けると共に、上記ばね部材の内側に設けたストッパ部材の両側面に、上記各側壁部の先端縁を弾性的に押し付ける事により、上記ばね部材を、上記ストッパ部材に、アウターコラムの円周方向に弾性的に押し付けた、請求項１〜２のうちの何れか１項に記載したテレスコピック機構付衝撃吸収式ステアリングコラム装置。
【手続補正２】
【補正対象書類名】明細書
【補正対象項目名】００２３
【補正方法】変更
【補正の内容】
【００２３】
図１〜８は、請求項１、２に対応する、本発明の実施例１を示している。本例のテレスコピック機構付衝撃吸収式ステアリングコラム装置は、後端部にステアリングホイール２１を固定したステアリングシャフト４を、ステアリングコラム１ｂの内側に、回転のみ自在に挿通している。これらステアリングシャフト４及びステアリングコラム１ｂは、前方に向いた所定値以上の荷重が加わった場合にその全長が収縮する。このうちのステアリングコラム１ｂは、アウターコラム２ｂの後端部（図１、２、４、６、８の右端部）の内周面に設けた部分円筒面部に、インナーコラム３ａの前端部（図１、２、４、６〜８の左端部）の外周面に設けた円筒面部を、複数（図示の例の場合は３個）のスペーサ２６、２６を介して摺動自在に内嵌している。これら各スペーサ２６、２６は、鋼等の金属により部分円筒状に形成したもので、内周面にコーティング層を設けている。又、このコーティング層として、フッ素樹脂の如き高分子材料又は固体潤滑剤を塗布等によりコーティングして得たもの、或は油性剤を塗布して得たもの等を使用できる。この様な各スペーサ２６、２６は、上記アウターコラム２ｂの後端部内周面に設けた部分円筒面部に軸方向の変位を阻止した状態で支持すると共に、これら各スペーサ２６、２６の内側に、上記インナーコラム３ａの前端部外周面に設けた円筒面部を摺動自在に内嵌している。この構成により、上記アウターコラム２ｂとインナーコラム３ａとの軸方向の相対変位は円滑に行なわれる。又、上記コーティング層は、電気抵抗が大きく、上記各スペーサ２６、２６の両側に設けたインナー、アウター両コラム３ａ、２ｂ同士でのこれら各スペーサ２６、２６を介しての導通を阻害する。尚、上記スペーサ２６は、図示の例の様に３個に限定するものではない。例えば、図示の例の構造以外に、アウターコラム２ｂの内周面に２個のスペーサを支持したり、アウターコラム２ｂの内側に、全長に亙る１本のスリットを設けた欠円筒状のスペーサを内嵌支持する事もできる。
【手続補正３】
【補正対象書類名】明細書
【補正対象項目名】００３９
【補正方法】変更
【補正の内容】
【００３９】
図９は、請求項１、２に対応する、本発明の実施例２を示している。本例の場合には、アウターコラム２ｂの後端部にインナーコラム３ａの前端部を、（スペーサを介する事なく）直接摺動自在に内嵌している。又、このアウターコラム２ｂの後端部内周面に、（スペーサを介する事なく）直接コーティング層６５を設けている。このコーティング層６５は、上述した実施例１で使用したスペーサ２６（図１、３、５、６等参照）の内周面に施したものと同様のものである。更に、本例の場合には、上記インナーコラム３ａの前端部外周面にも、上記アウターコラム２ｂに設けたものと同様のコーティング層６６を直接設けている。尚、本例の様に、このインナーコラム３ａの外周面にこのコーティング層６６を設ける場合には、このコーティング層６６部分の電気抵抗を低くする事が難しくなる。この為、本例のテレスコピック機構付衝撃吸収式ステアリングコラム装置を製造する場合に、インナーコラム３ａにストッパ部材５４を固定する場合には、次の（１）〜（３）の何れかの方法を採用する。
（１）  インナーコラム３ａに設けた通孔６１の内周縁にマスキングを設けた状態で、このインナーコラム３ａにコーティング層６６を設けて、その後に、この通孔６１に固定用突部５８を係合させる事により、このインナーコラム３ａの前端部にストッパ部材５４を固定する。
（２）  インナーコラム３ａにストッパ部材５４を固定した後に、このストッパ部材５４の表面で少なくとも板ばね６２（図２〜４参照）と接触する部分にマスキングを設ける。次いで、このマスキングを設けた状態で、上記インナーコラム３ａの外周面にコーティング層６６を設ける。
（３）  インナーコラム３ａにストッパ部材５４を固定した後に、このインナーコラム３ａの外周面にコーティング層６６を設ける。次いで、このストッパ部材５４の表面で少なくとも上記板ばね６２と接触する部分に機械加工を施して、この部分からコーティング層６６を剥す。
又、（１）の製造方法を採用する場合には、上記ストッパ部材５４に設けた固定用突部５８の端縁を上記インナーコラム３ａに設けた通孔６１の端縁部で、上記コーティング層６６を設けていない部分に接触させる。
【手続補正４】
【補正対象書類名】明細書
【補正対象項目名】００４１
【補正方法】変更
【補正の内容】
【００４１】
次に、図１０〜１２は、請求項１〜３に対応する、本発明の実施例３を示している。本例の場合には、アウターコラム２ｂにボルト４２を、互いに導通接触させた状態で固定している。又、このボルト４２の中間部に設けた円柱部で、１対の腕部３８、３８の間に露出させた部分に弾性体である、ばね部材６７を外嵌している。このばね部材６７は、ばね鋼の如き金属等の導電性を有する材料により、断面略コ字形に造っている。又、このばね部材６７を構成する１対の側壁部６８、６８の中間部で互いに整合する位置に通孔６９、６９を形成している。そして、これら各側壁部６８、６８のうちでこれら各通孔６９、６９の外端側開口周縁部に複数の円弧形の突片７０ａ、７０ｂを、それぞれ形成している。又、これら複数の突片７０ａ、７０ｂの自由状態で、これら各突片７０ａ、７０ｂの先端縁を、単一の円周上に位置させており、この円周の直径を上記ボルト４２に設けた円柱部の外径よりも僅かに小さくしている。又、上記ばね部材６７は、上記１対の側壁部６８、６８の先端縁同士を近づける方向の弾力を有する。そして、このばね部材６７に設けた１対の通孔６９、６９に上記円柱部を挿通した状態で、上記各突片７０ａ、７０ｂの先端縁をこの円柱部の外周面に弾性的に押し付けている。又、上記ばね部材６７の通孔６９、６９にこの円柱部を挿通した状態で、このばね部材６７の内側に設けたストッパ部材５４の、上記アウターコラム２ｂの円周方向に向いた両側面に、上記各側壁部６８、６８の先端縁を弾性的に押し付けている。この構成により、上記ばね部材６７は、このストッパ部材５４に、アウターコラム２ｂの円周方向に弾性的に押し付けられる。